(57)【要約】【課題】表示パネルの予備配線への静電気の侵入を確実に防止することが可能で、大型化を抑えた表示装置を提供する。【解決手段】表示パネルを構成するＴＦＴ基板（１０）の縁部に、ＴＣＰ（３０）に連なる信号配線の端子（４１）と予備配線の端子（５１）とを設ける。予備配線端子（５１）は、途中で不連続にして、２つの部分（５１ａ，５１ｂ）に分ける。また、ＴＣＰ（３０）に開口（３１）を形成しておき、開口（３１）から予備配線端子（５１）を露出させる。信号配線に断線が生じたときには、その信号配線と予備配線とを接続するとともに、予備配線端子（５１）の２つの部分（５１ａ，５１ｂ）を接続することによって、接続不良を修復する。【選択図】  図３
2004294787.tif 000002
【特許請求の範囲】
【請求項１】
信号配線の接続不良を修復するための予備配線を有する表示パネルを備える表示装置において、
予備配線の端子部が互いに離間した第１の部分と第２の部分から成ることを特徴とする表示装置。
【請求項２】
予備配線の端子部の第１の部分と第２の部分が表示パネルの同一面内で離間していることを特徴とする請求項１に記載の表示装置。
【請求項３】
予備配線の端子部の第１の部分と第２の部分が表示パネルの表示面に対して垂直な方向に離間していることを特徴とする請求項１に記載の表示装置。
【請求項４】
信号配線が断線したときに、その信号配線と予備配線の交差部を接続するとともに、予備配線の端子部の第１の部分と第２の部分とを接続することを特徴とする請求項１に記載の表示装置の配線修復方法。
【発明の詳細な説明】
【０００１】
【発明の属する技術分野】
本発明は、表示駆動用の走査線又は信号線の接続不良が修復可能なマトリクス型表示装置に関する。
【０００２】
【従来の技術】
マトリクス型表示装置では、表示パネルのデータ信号配線や走査信号配線が断線したときに補修できるようにするために、予備配線が設けられている。このような表示パネルの例を模式的に図７の正面図に示す。この表示パネルは、ＴＦＴ（薄膜トランジスタ）基板１０上に液晶層を挟みＣＦ（カラーフィルタ）基板２０を積層したアクティブマトリックス型液晶パネルである。ＴＦＴ基板１０の縁部には、ＴＣＰ（テープキャリアパッケージ：テープ状のフィルムを使ったＩＣパッケージ）３０が圧着されている。図７の横方向に並ぶＴＣＰ３０からはデータ信号が出力され、縦方向に並ぶＴＣＰ３０からは走査信号が出力される。
【０００３】
データ信号配線や走査信号配線が断線したときには、断線した信号配線４０と予備配線５０とを両者の交差部４５で、例えばレーザービームによってメルト（溶解）させて、接続する。これで、同一の信号配線４０のうち直接の接続が絶たれていた部分が、複数のＴＣＰ３０を介して別経路で接続されることになり、接続不良が修復される。
【０００４】
従来の表示装置では、予備配線の静電気対策として、例えば特開平１１−２７１７２２号公報にて提案されているように、保護回路を設けて外部から侵入するＥＳＤ（静電気放電）を抑えるようにしている。また、特開２００２−１７４８２０号公報にて提案されているように、上記の保護回路と同様な回路を設けることに加えて、ダミー予備配線を設けて、静電気に対処することも行われている。
【０００５】
【特許文献１】特開平１１−２７１７２２号公報
【特許文献２】特開２００２−１７４８２０号公報
【０００６】
【発明が解決しようとする課題】
しかしながら、上記の従来技術では、予備配線の静電気対策のために、保護回路やダミー予備配線を設ける必要がある上に、対策自体に限界があり、大容量の静電気が侵入した場合は対応策が無かった。また、上記の保護回路やダミー予備配線が表示装置の小型化やコストダウンの妨げになっていた。
【０００７】
本発明は、予備配線への静電気の侵入を確実に防止することが可能で、大型化を抑えた表示装置を提供することを目的とする。
【０００８】
【課題を解決するための手段】
上記目的を達成するために、本発明では、信号配線の接続不良を修復するための予備配線を有する表示パネルを備える表示装置において、予備配線の端子部が互いに離間した第１の部分と第２の部分から成る構成とする。第１の部分と第２の部分が電気的に接続されていないため、端子部からの静電気の侵入が防止される。
【０００９】
ここで、予備配線の端子部の第１の部分と第２の部分が表示パネルの同一面内で離間している構成とすることができる。また、予備配線の端子部の第１の部分と第２の部分が表示パネルの表示面に対して垂直な方向に離間している構成とすることもできる。
【００１０】
上記の表示装置では、信号配線が断線したときに、その信号配線と予備配線の交差部を接続するとともに、予備配線の端子部の第１の部分と第２の部分とを接続することで、接続不良を修復することが可能である。
【００１１】
【発明の実施の形態】
以下、本発明の実施の形態について、図面を参照して説明する。第１の実施形態の表示装置の表示パネル１の表示面側から見た全体構成を図１の正面図に模式的に示す。表示パネル１は、ＴＦＴ基板１０上に液晶層を挟みＣＦ基板２０を積層したアクティブマトリックス型液晶パネルである。ＴＦＴ基板１０の縁部には、ＴＣＰ３０が圧着されている。図１の横方向に並ぶＴＣＰ３０からはデータ信号が出力され、縦方向に並ぶＴＣＰ３０からは走査信号が出力される。
【００１２】
ＴＦＴ基板１０のうち、破線で囲んだ部分１０ａを拡大して図２の正面図に示す。ＴＦＴ基板１０のこれらの部分には、データ信号配線の端子（ソース端子）または走査信号配線の端子（ゲート端子）４１が設けられており、これらの端子４１はＴＦＴ基板１０の端縁に達し、ＴＣＰ３０上の端子に連なっている。また、予備配線の端子５１も設けられている。予備配線端子５１は、途中で不連続とされており、ＴＦＴ基板１０の端縁に達してＴＣＰ３０上の端子に連なる部分５１ａと、予備配線５０に連なる部分５１ｂとが、ＴＦＴ基板１０に沿う方向に同一面内で離間している。２つの部分５１ａ、５１ｂの離間距離は、例えば、１０μｍ〜１００μｍである。
【００１３】
図２に示したＴＦＴ基板１０の部分にＴＣＰ３０を圧着した状態の正面図を図３に示す。ＴＣＰ３０には開口３１が設けられており、予備配線端子５１のうちの不連続な部分は開口３１から外部に露出している。
【００１４】
表示パネル１では、データ信号配線や走査信号配線が断線したときに、図７に示したように、断線した信号配線４０と予備配線５０とを両者の交差部４５でメルトさせて接続するとともに、ＴＣＰ３０の開口３１を介して、予備配線端子５１のうちの一方の部分５１ａと他方の部分５１ｂとを接続することによって、補修する。これで、同一の信号配線４０のうち直接の接続が絶たれていた部分が、複数のＴＣＰ３０を介して別経路で接続されることになり、接続不良が修復される。
【００１５】
予備配線端子５１の２つの部分５１ａ、５１ｂを接続した状態を図４に示す。この接続には、プラズマＣＶＤ法、ニードルでのペースト塗布法、インクジェット塗布法等を採用することができる。尚、「ニードルでのペースト塗布」に関する技術は、例えば、特開平８−２９２４４２号公報に詳しく記されている。
【００１６】
第２の実施形態の表示装置の表示パネル２について説明する。本実施形態の表示パネル２は、第１の実施形態の表示パネル１を修飾して、予備配線端子５１の２つの部分５１ａ、５１ｂを不連続にする態様を変更したものである。表示パネル２の全体構成は図１に示したとおりである。
【００１７】
ＴＦＴ基板１０のうち、図１の破線で囲んだ部分１０ａを拡大して図５の正面図、および、図６の斜視図に示す。予備配線端子５１は、ＴＣＰ３０上の端子に連なる部分５１ａと、予備配線５０に連なる部分５１ｂとの間に絶縁膜等（不図示）を設けて、表示パネル２の表示面に対して垂直な方向に部分５１ａと５１ｂとを離間して、２層構造としたものである。これら２つの部分５１ａ、５１ｂの端部は、図６に矢印で示したように対向しており、また、図示しないが、前述のＴＣＰ３０の開口３１を介して外部に露出している。
【００１８】
表示パネル２でも、データ信号配線や走査信号配線が断線したときに、図７に示したように、断線した信号配線４０と予備配線５０とを両者の交差部４５でメルトさせて接続するとともに、ＴＣＰ３０の開口３１を介して、予備配線端子５１のうちの一方の部分５１ａと他方の部分５１ｂとを接続することによって、補修する。この接続には、例えば、レーザービームによるメルトを採用することができる。
【００１９】
なお、上記の各実施形態では液晶パネルの例を掲げたが、本発明は、有機ＥＬ（Ｅｌｅｃｔｒｏ  Ｌｕｍｉｎｅｓｃｅｎｔ）等の他の表示パネルにも適応可能である。
【００２０】
【発明の効果】
本発明の表示装置では、予備配線の端子部に不連続な部分を設けているため、外部からの電荷の侵入を確実に防ぐことができる。したがって、ＥＳＤによる不良発生がなく、歩留りが向上する。また、保護回路やダミー予備配線等を別途設けて静電気対策を行う必要がないため、大型化が抑えられ、製造コストも低減することができる。さらに、断線による接続不良の修復も容易である。
【図面の簡単な説明】
【図１】第１、第２の実施形態の表示装置の表示パネルの全体構成を模式的に示す正面図。
【図２】第１の実施形態の表示装置の表示パネルの配線端子周辺を模式的に示す正面図。
【図３】第１の実施形態の表示装置の表示パネルのＴＣＰを含む配線端子周辺を模式的に示す正面図。
【図４】第１の実施形態の表示装置の表示パネルの接続不良修復後のＴＣＰを含む配線端子周辺を模式的に示す正面図。
【図５】第２の実施形態の表示装置の表示パネルの配線端子周辺を模式的に示す正面図。
【図６】第２の実施形態の表示装置の表示パネルの配線端子周辺を模式的に示す斜視図。
【図７】従来の表示パネルの全体構成と接続不良修復の方法を模式的に示す正面図。
【符号の説明】
１、２  表示パネル
１０    ＴＦＴ基板
２０    ＣＦ基板
３０    ＴＣＰ
３１    ＴＣＰ開口
４０    信号配線
４１    信号配線端子
５０    予備配線
５１    予備配線端子
５１ａ  予備配線端子の一部分
５１ｂ  予備配線端子の一部分
４５    配線交差部
【図１】
2004294787.tif 000003
【図２】
2004294787.tif 000004
【図３】
2004294787.tif 000005
【図４】
2004294787.tif 000006
【図５】
2004294787.tif 000007
【図６】
2004294787.tif 000008
【図７】
2004294787.tif 000009